(57)【要約】【課題】  最適流量への調整を簡便・容易に行うことができるシャワー水栓を提供すること。【解決手段】  水栓本体１０の流路内に定流量弁６０を備え、定流量弁６０のみを通じておこなわれる第一の吐水態様と、定流量弁６０の吐水を含めた第二の吐水態様とを選択することができる操作部を備えた。水栓本体１０には、シャワー側流路２４に連通可能であるとともに定流量弁６０にのみ連通される定流量弁用弁口５２と、シャワー側流路２４に定流量弁６０を介さず連通可能なシャワー用弁口５４ａ，５４ｂが設けられ、吐水ハンドル５の約６０度未満の回動操作においては定流量弁用弁口５２のみが開口されて第一の吐水態様をおこない、吐水ハンドル５の約６０度以上の回動操作においては定流量弁用弁口５２が全開状態で開口されるとともにシャワー用弁口５４ａ，５４ｂが開口される。【選択図】    図１
2014066091.tif 000002
【特許請求の範囲】
【請求項１】
水栓本体のシャワー側流路内に定流量弁を備え、前記定流量弁のみを通じておこなわれる第一の吐水態様と、前記定流量弁及び前記定流量弁以外の吐水を含めた第二の吐水態様とを選択することができる操作部を備えたことを特徴とするシャワー水栓。
【請求項２】
前記操作部は、前記吐水態様からの吐水量を調整可能に回動操作可能な吐水ハンドルに設けられ、前記吐水ハンドルの所定角度以上の回動操作を規制するとともに前記規制を解除可能なストッパーであり、前記所定角度未満の回動操作時には前記定流量弁のみを通じて第一の吐水態様をおこない、前記所定角度以上の回動操作時には、前記定流量弁からの吐水及び前記定流量弁以外の吐水を含めた第二の吐水態様をおこなうことを特徴とする請求項１に記載のシャワー水栓。
【請求項３】
前記水栓本体には、シャワー側流路に連通可能であるとともに前記定流量弁にのみ連通される定流量弁用弁口と、前記シャワー側流路に前記定流量弁を介さず連通可能なシャワー用弁口が設けられ、前記吐水ハンドルの前記所定角度未満の回動操作においては定流量弁用弁口のみが開口されて前記第一の吐水態様をおこない、前記吐水ハンドルの前記所定角度以上の回動操作においては前記定流量弁用弁口が全開状態で開口されるとともにシャワー用弁口が開口されて前記第二の吐水態様をおこなうことを特徴とする請求項２に記載のシャワー水栓。
【請求項４】
シャワーに接続するために水栓本体に備えられたシャワーエルボ内に、弁体を備えた定流量弁及び前記弁体により閉止可能な弁口を設け、前記弁体には、前記弁口を閉止した際に前記弁口と前記定流量弁とを連通する開口部を備え、前記シャワーエルボに取り付けられた操作部により前記弁体を前記弁口に対して圧着・離間自在に設け、前記弁体が前記弁口に圧着された際には、前記弁体の前記開口部からのみ前記弁口に、前記水栓本体から通水可能に設けた第一の吐水態様とするとともに、前記弁体が前記弁口から離間された際には、前記弁体の前記開口部以外からも前記水栓本体から通水可能に設けた第二の吐水態様とすることを特徴とするシャワー水栓。
【発明の詳細な説明】
【技術分野】
【０００１】
本発明はシャワー水栓に関する。
【背景技術】
【０００２】
シャワー水栓のシャワーの吐水流量は、カランからの吐水と異なり、使用者が吐水によって痛みを感じるほどの大流量ではいけないし、逆に、洗剤やシャンプーなどを洗い流すために長時間かかってしまったり、寒冷時に体を十分に温められないほどに少流量であってもいけない。このような支障がない適正流量は、いわゆる「最適流量」と称されており、（社）日本バルブ工業会が規定している節湯型機器の定義では、最適流量が毎分８．５Ｌ以下であることが決められている。
【０００３】
このような最適流量をシャワーから適切に吐水させるために、シャワーエルボなどの水栓の流路に定流量弁を組み込むものが知られている。定流量弁の最大流量を最適流量に合わせて設定することにより、ハンドル操作によって流路を開いた時に、最適流量を簡便・容易に得ようとするものである。また、一般的な吐水ハンドルの操作により吐水流量を連続的に変化させる吐水流量調整手段によって、使用者が吐水量を自ら調整して最適流量の吐水を得ることも可能ではある（特許文献１）。
【先行技術文献】
【特許文献】
【０００４】
【特許文献１】特開平１１−１５８９５６号公報（図１から図３）
【発明の開示】
【発明が解決しようとする課題】
【０００５】
しかしながらこの定流量弁を組み込んだ従来のシャワー水栓では、定流量弁によって定められた流量よりも大きな流量の吐水を得ることができない。浴室内の洗浄時など最適流量を超えてシャワー吐水を行いたい場合もあるが、従来のシャワー水栓ではこのようなシャワーの使用態様に対応できないという問題があった。また、一般的な吐水ハンドルの操作により吐水流量を連続的に変化させる吐水流量調整手段によってシャワー水栓の最適流量の吐水を得ることも可能ではあるが、最適流量への吐水ハンドルの調整は簡単ではない。また、シャワー水栓の設置場所により給水圧が異なる場合があることや、設置場所により他の給水栓を同時に使用することにより、給水圧が変化する場合があることから、シャワー水栓の設置場所により吐水ハンドルの操作位置が同じであっても流量が異なってしまう恐れがあるため、最適流量を得難いという問題もある。
【０００６】
本発明は前述した従来技術の問題点を解決しようとするものであり、最適流量への調整を簡便・容易に行うことができるシャワー水栓を提供することを目的とする。
【課題を解決するための手段】
【０００７】
以上の課題を解決するために、本発明の採った手段を以下に説明する。本発明の第一の手段のシャワー水栓は、水栓本体のシャワー側流路内に定流量弁を備え、前記定流量弁のみを通じておこなわれる第一の吐水態様と、前記定流量弁及び前記定流量弁以外の吐水を含めた第二の吐水態様とを選択することができる操作部を備えたことを特徴とするシャワー水栓である。
【０００８】
このように水栓本体内に定流量弁を設けて二つの吐水態様を選択可能とすることにより、「最適流量」と、これを超える通常の流量とを簡便に得ることができる。「第一の吐水態様と第二の吐水態様とを選択することができる操作部」としては、特に限定されないが、一方の吐水態様を規制するストッパーや、二つの吐水態様を選択的に切り換える操作ボタンなどを例示することができる。また、定流量弁のみを通じた第一の吐水態様により最適流量を得ることができるので、所定以上の給水圧があれば吐水量を一定にすることができ、給水・給湯源の給水圧の変化などによる第一の吐水態様の吐水量の変動などが生ずる可能性を低くすることができる。
【０００９】
また、本発明の第二の手段のシャワー水栓は、前記操作部は、前記吐水態様からの吐水量を調整可能に回動操作可能な吐水ハンドルに設けられ、前記吐水ハンドルの所定角度以上の回動操作を規制するとともに前記規制を解除可能なストッパーであり、前記所定角度未満の回動操作時には前記定流量弁のみを通じて第一の吐水態様をおこない、前記所定角度以上の回動操作時には、前記定流量弁からの吐水及び前記定流量弁以外の吐水を含めた第二の吐水態様をおこなうことを特徴とする請求項１に記載のシャワー水栓である。
【００１０】
本発明においては、第一の吐水態様と第二の吐水態様とを、吐水ハンドルの回動操作により選択可能とするとともに、定流量弁による所定の流量を超えて通常の吐水をおこなうばあいにはストッパーによって吐水ハンドルの回動操作規制を解除することを要求するように構成されている。したがって、吐水ハンドルの回動がストッパーによって規制されていれば、特に微調整を要することなく最適流量を簡便・迅速に得ることができ、最適流量を得る際の利便性に富む。
【００１１】
また、本発明の第三の手段のシャワー水栓は、前記水栓本体には、シャワー側流路に連通可能であるとともに前記定流量弁にのみ連通される定流量弁用弁口と、前記シャワー側流路に前記定流量弁を介さず連通可能なシャワー用弁口が設けられ、前記吐水ハンドルの前記所定角度未満の回動操作においては定流量弁用弁口のみが開口されて前記第一の吐水態様をおこない、前記吐水ハンドルの前記所定角度以上の回動操作においては前記定流量弁用弁口が全開状態で開口されるとともにシャワー用弁口が開口されて前記第二の吐水態様をおこなうことを特徴とする請求項２に記載のシャワー水栓である。
【００１２】
このように構成することにより、吐水ハンドルの所定角度未満の回動操作においては定流量弁用弁口のみが開口されることとして、定流量弁のみを通じた吐水をおこない第一の吐水態様をおこなうことができる。そして、吐水ハンドルの所定角度以上の回動操作をおこなった際には、定流量弁を通じた吐水については定流量弁用弁口が全開状態とされ、これにシャワー用弁口からの流量が上乗せされることになる。よって、所定角度から徐々に回動操作をおこなう際には、所定の最適流量から徐々に流量が増加することになり、第二の吐水態様への切り換え時に流量が急激に増加するような問題が無く、シャワーの使用感の不快な変動を減少させることができる。
【００１３】
また、本発明の第四の手段のシャワー水栓は、シャワーに接続するために水栓本体に備えられたシャワーエルボ内に、弁体を備えた定流量弁及び前記弁体により閉止可能な弁口を設け、前記弁体には、前記弁口を閉止した際に前記弁口と前記定流量弁とを連通する開口部を備え、前記シャワーエルボに取り付けられた操作部により前記弁体を前記弁口に対して圧着・離間自在に設け、前記弁体が前記弁口に圧着された際には、前記弁体の前記開口部からのみ前記弁口に、前記水栓本体から通水可能に設けた第一の吐水態様とするとともに、前記弁体が前記弁口から離間された際には、前記弁体の前記開口部以外からも前記水栓本体から通水可能に設けた第二の吐水態様とすることを特徴とするシャワー水栓である。
【００１４】
このようにシャワーエルボ内に操作部及び定流量弁を備えることにより、操作部の切り換えにより、第一の吐水態様と第二の吐水態様を切り換えることができる。よって、最適流量と通常の流量との切り換えは、操作部の切り換え操作だけで足り、特に微調整を要することなく最適流量を簡便・迅速に得ることができ、最適流量を得る際の利便性に富む。また、シャワーエルボ内の構造を変えるだけでこのような二つの吐水態様を得ることができるシャワー水栓とすることができる。
【発明の効果】
【００１５】
本発明のシャワー水栓は前述のように構成されているので、定流量弁による最適流量とそれ以上の流量となる通常の流量との選択を簡便・迅速におこなうことができる。また、定流量弁のみを通じた第一の吐水態様により最適流量を得ることができるので、所定以上の給水圧があれば、シャワー水栓の設置場所がどこであっても、吐水量を一定にすることができ、給水・給湯源の給水圧の変化などによる第一の吐水態様の吐水量の変動などが生ずる可能性を低くすることができる。
【図面の簡単な説明】
【００１６】
【図１】本発明のシャワー水栓の平面視一部断面図である。
【図２】本発明のシャワー水栓の側面図である。
【図３】止水状態のシャワー水栓の要部拡大一部断面図である。
【図４】止水状態から吐水ハンドルを６０度回転操作して定流量弁のみを全開にした第一の吐水態様を示すシャワー水栓の要部拡大一部断面図である。
【図５】止水状態から吐水ハンドルを１２０度回転操作して全開にした第二の吐水態様を示すシャワー水栓の要部拡大一部断面図である。
【図６】図６は、連通孔の開口位置を説明するためのシャワー水栓の側面図である。
【図７】図７は、弁口の開口位置を説明するためのシャワー水栓の側面図である。
【図８】本発明の別のシャワー水栓の側面視断面図である。
【図９】図８のシャワー水栓の第一の吐水態様を示す要部拡大断面図である。
【図１０】図８のシャワー水栓の第二の吐水態様を示す要部拡大断面図である。
【発明を実施するための形態】
【００１７】
次に、本発明の実施の形態について図を参考にして詳細に説明する。図１及び図２に示されるように、本発明のシャワー水栓１は、内蔵されるサーモスタット式ミキシングバルブ１６において吐水温度を調整し、シャワーエルボ２に接続されたシャワー（図示省略）とカラン３から選択的に吐水を行えるように構成されるものである。より具体的には、温度調節ハンドル４を設定温度に回転調節することにより、サーモスタット式ミキシングバルブ１６によって水側流路２６及び湯側流路２８から流入される湯及び水を適宜量混合できる。そして、吐水ハンドル５を回転操作することにより、水栓本体１０内の吐水切換弁ユニット３０を駆動し、吐水ハンドル５を、右側面視において止水位置から左回りに回転させることにより、カラン３から湯水を吐水させ、一方、右側面視において止水位置から右回りに回転させることによりシャワー（図示省略）から湯水を散水させることができるように構成されている。
【００１８】
水栓本体１０は、図１に示されるように、横長の筒状に全体が形成されている。水栓本体１０の背面側には、平面視左寄りから順に、内部の流路に連通される湯側接続部１２、シャワーエルボ接続部１３及び水側接続部１４が突設されている。湯側接続部１２と水側接続部１４とには、各々、給湯源側に接続される湯側クランク６、給水源側に接続される水側クランク７が接続されている。湯側クランク６及び水側クランク７には、止水及び流量調節を行うことのできる止水弁８が取り付けられている。なお、内部を流通する湯水によって熱せられた表面に触れないようにするために、湯側クランク６にはカバー９が被覆されている。また、図２に示されるように、水栓本体１０の下面中央には、カラン３が接続されるカラン接続部１１が突設されている。また、水栓本体１０内には、その長手方向に沿って、筒状に形成されたミキシングバルブ収容室２０と吐水切換弁ユニット収容室２１とがその軸心を同一線上に揃えて、かつ連通されるように形成されている。
【００１９】
図１に示されるように、水栓本体１０の平面視左側には、温度調節ハンドル４が回動自在に取り付けられている。温度調節ハンドル４は、水栓本体１０の左寄りに内蔵されたサーモスタット式ミキシングバルブ１６のスピンドル１７に固定されており、スピンドル１７を介して、サーモスタット式ミキシングバルブ１６を操作することができる。水栓本体１０内においては、ミキシングバルブ収容室２０に連通するように、湯側接続部１２を通じて給湯源側に接続される湯流入室１８と、水側接続部１４を通じて給水源側に接続される水流入室１９とが形成されており、サーモスタット式ミキシングバルブ１６内には、これらの湯流入室１８及び水流入室１９から、湯及び水が流入可能に設けられている。
【００２０】
温度調節ハンドル４と反対側の水栓本体１０の右側には、吐水ハンドル５が回動自在に取り付けられている。吐水ハンドル５は、水栓本体１０の右寄りに内蔵された吐水切換弁ユニット３０のスピンドル３１に固定されている。水栓本体１０内の吐水切換弁ユニット収容室２１は、カラン接続部１１側に接続されるカラン側流路２２と、シャワーエルボ２側に接続されるシャワー側流路２４とが連通するように形成されており、吐水切換弁ユニット３０内に流入された湯水が、これらのカラン側流路２２又はシャワー側流路２４のいずれかに流出可能に構成されている。
【００２１】
ついで、吐水切換弁ユニット３０について説明する。図１に示されるように、吐水切換弁ユニット３０は水栓本体１０内の吐水切換弁ユニット収容室２１内に嵌装されており、そのスピンドル３１の外周周りにおいて噛合固定された吐水ハンドル５による回動操作が可能に構成されている。また、吐水ハンドル５には、図２に示されるように、水栓本体１０側に対して、止水状態からシャワー吐水側（シャワー水栓正面視において手前から上方側）に約６０度回動操作をした角度以上の回動操作を規制するストッパー１５が取り付けられており、このストッパー１５を押すことにより吐水ハンドル５の水栓本体１０側に対する係止が解除され、止水状態の位置から約１２０度の角度にいたるまでさらに回動操作をすることができるように構成されている。また、止水状態からカラン吐水側（シャワー水栓正面視において手前から下方側）に回動操作をすることができる。
【００２２】
図１、図２に示されるように、吐水切換弁ユニット３０のユニット本体３２は円筒状に形成されており、円筒状のケーシング３４と、このケーシング３４内にスピンドル３１と一体的に回動自在に内挿された円筒状の切換弁体ユニット５０とから構成されている。ケーシング３４には、吐水切換弁ユニット３０が水栓本体１０に取り付けられた状態において水栓本体１０の正面側に位置する部位に、ケーシング３４の内外を連通して開口する連通孔３５，３６ａ，３６ｂ，３７ａ，３７ｂが設けられている。また、これらの連通孔３５，３６ａ，３６ｂ，３７ａ，３７ｂは、ケーシング３４の外周方向に沿ってその長手方向が向けられた長円形状に形成されている。
【００２３】
また、これらの連通孔は、スピンドル３１側から順に、定流量弁用連通孔３５、二つのシャワー用連通孔３６ａ，３６ｂ、二つのカラン用連通孔３７ａ，３７ｂという順序で設けられている。図６に示されるように、これらの定流量弁用連通孔３５、シャワー用連通孔３６ａ，３６ｂ、カラン用連通孔３７ａ，３７ｂはシャワー水栓１の正面側において、ケーシング３４の外周面の軸心周りにおいて、それぞれ、中心線から上下に約３５度ずつ約７０度の範囲に、軸心周りにおけるそれぞれの端部を揃えて形成されている。
【００２４】
そして、吐水切換弁ユニット３０が水栓本体１０に取り付けられた際には、水栓本体１０のシャワー側流路２４に連通する位置に、定流量弁用連通孔３５及びシャワー用連通孔３６ａ，３６ｂが臨む。また、同様に、シャワー用連通孔３６ａ，３６ｂもシャワー側流路２４に臨む。一方、カラン用連通孔３７ａ，３７ｂは、吐水切換弁ユニット３０が水栓本体１０に取り付けられた際にはカラン側流路２２に臨む。
【００２５】
一方、このケーシング３４内に内挿された切換弁体ユニット５０の側面には、スピンドル３１側から順に、定流量弁用弁口５２、二つのシャワー用弁口５４ａ、５４ｂ、二つのカラン用弁口５６ａ，５６ｂが開設されている。図３、及び図３の状態から切換弁体ユニット５０をシャワー吐水側に６０度回転した図４に示されるように、定流量弁用弁口５２及びシャワー用弁口５４ａ，５４ｂは切換弁体ユニット５０の軸心周りに長く形成された長円形状に設けられている。これらの定流量弁用弁口５２とシャワー用弁口５４ａ，５４ｂはほぼ同形状に形成されているが、定流量弁用弁口５２とシャワー用弁口５４ａ，５４ｂとは切換弁体ユニット５０の軸心周りに変位した位置に形成されている。具体的には、図７に示されるように、定流量弁用弁口５２は、スピンドル３１側から見て、切換弁体ユニット５０の軸心周りにおいて、止水位置から左回り方向に約４７．５度の位置から始まり、約１１５度の範囲にわたって開口されている（矢印Ａ）。そして、シャワー用弁口５４ａ、５４ｂは、スピンドル３１側から見て、切換弁体ユニット５０の軸心周りにおいて、止水位置から左回り方向に約１０７．５度の位置から始まり、約５５度の範囲にわたって開口されている（矢印Ｂ）。また、二つのシャワー用弁口５４ａ，５４ｂは切換弁体ユニット５０の軸心周りに同位置に平行に形成されている。このように、シャワー用弁口５４ａ，５４ｂが開口される操作位置においては、定流量弁用弁口５２は常に開口されるように構成されている。
【００２６】
また、図３に示されるように、二つのカラン用弁口５６ａ，５６ｂは、前述した定流量弁用弁口５２及びシャワー用弁口５４ａ，５４ｂよりもやや長い長円形状に形成されている。図７に示されるように、カラン用弁口５６ａ，５６ｂは、スピンドル３１側から見て、切換弁体ユニット５０の軸心周りにおいて、止水位置から右回り方向に約４７．５度の位置から始まり、約８５度の範囲にわたって開口されている（矢印Ｃ）。また、二つのカラン用弁口５６ａ，５６ｂは切換弁体ユニット５０の軸心周りに同位置に平行に形成されている。
【００２７】
そして、定流量弁用連通孔３５、シャワー用連通孔３６ａ，３６ｂ、カラン用連通孔３７ａ，３７ｂのケーシング３４の軸心方向における幅は、すべてほぼ同一に形成されている。また、定流量弁用弁口５２、シャワー用弁口５４ａ、５４ｂ、カラン用弁口５６ａ，５６ｂの切換弁体ユニット５０の軸心方向における幅は、いずれも前述した各連通孔３５，３６ａ，３６ｂ，３７ａ，３７ｂとほぼ同じ幅に形成されている。そして、切換弁体ユニット５０がケーシング内に内挿された状態においては、吐水切換弁ユニット３０の軸心方向において、定流量弁用連通孔３５と定流量弁用弁口５２、二つのシャワー用連通孔３６ａ，３６ｂと二つのシャワー用弁口５４ａ，５４ｂ、二つのカラン用連通孔３７ａ，３７ｂと二つのカラン用弁口５６ａ，５６ｂが、それぞれ一致するような位置関係に配設されており、吐水ハンドル５の回動操作により、各連通孔３５，３６ａ，３６ｂ，３７ａ，３７ｂと各弁口５２，５４ａ，５４ｂ，５６ａ，５６ｂとが、後述するように各々連通可能となるように構成されている。
【００２８】
また、切換弁体ユニット５０の内部において、定流量弁用弁口５２が形成されている部位には、定流量弁用弁口５２から流出する流量を所定の流量までに制限する定流量弁６０が取り付けられている。定流量弁６０は公知の種々のものを用いることができるが、ここでは、シャワー吐水を浴びる際に使用者が最適と感じる流量とされるいわゆる「最適流量」を最大流量として確保できるものを用いており、具体的には毎分８．５Ｌ（節湯型規格の定義）という流量を最大にして定められている。
【００２９】
ついで、前述のように構成されたシャワー水栓１における吐水ハンドル５による吐水量調整について説明する。止水状態においては、図３に示されるように、ケーシング３４内における切換弁体ユニット５０は、吐水切換弁ユニット３０のスピンドル３１側から見て、ケーシング３４の各連通孔３５，３６ａ，３６ｂ，３７ａ，３７ｂの吐水切換弁ユニット３０の軸心周りの中心位置から約９０度右回りの位置に、カラン用弁口５６ａ，５６ｂが位置するような位置関係で内挿されている。そして、この止水状態においては、定流量弁用連通孔３５と定流量弁用弁口５２、二つのシャワー用連通孔３６ａ，３６ｂと二つのシャワー用弁口５４ａ，５４ｂ、二つのカラン用連通孔３７ａ，３７ｂと二つのカラン用弁口５６ａ，５６ｂとのいずれもが連通されていない。
【００３０】
シャワー水栓１においてシャワーからの吐水を行うには、前述の通り、シャワー水栓１の右側面視において、吐水ハンドル５を止水位置から右回りに回転させる。すると、ケーシング３４に設けられた定流量弁用連通孔３５と、切換弁体ユニット５０に設けられた定流量弁用弁口５２とが連通を始め、ミキシングバルブ収容室２０から切換弁体ユニット５０内に流入されている湯水がシャワー側流路２４に流れ始める。図２中に示される点線Ａのように吐水ハンドル５を右回りに６０度回動操作すると、定流量弁用連通孔３５と定流量弁用弁口５２とは最大面積で連通した状態となり、シャワー側流路２４には定流量弁６０の最大流量である毎分８．５Ｌが流れることになる（図４）。この状態の吐水態様が本発明の「第一の吐水態様」の一例となる。
【００３１】
この吐水ハンドル５の操作位置においては、前述の通り、ストッパー１５により、吐水ハンドル５のそれ以上の回動操作が規制される。なお、止水位置に戻すようにして吐水量を少なくすることは可能である。したがって、吐水ハンドル５の操作を細かく調整することなく、ストッパー１５によって規制されるまで吐水ハンドル５を一気に回すだけで、極めて簡便・迅速に「最適流量」を得ることができる。なお、ストッパー１５の代わりに「ノッチ」などを設け、最適流量を超える操作が行われることを使用者に覚知させる覚知手段を設けることとして、実際に流量を確かめなくても、ノッチが無くなるまで戻すことにより最適流量に容易に調整するようにすることもできる。
【００３２】
また、定流量弁６０の最大流量である最適流量を超えた流量を得たい場合には、ストッパー１５を押して吐水ハンドル５の回動操作規制を解除して、止水位置から約６０度回動操作された位置から、シャワー水栓１の右側面視において、吐水ハンドル５を右回りにさらに回動させる。吐水ハンドル５は、図２に示される点線Ｂのように、止水位置から最大で約１２０度右回りに回動させることができる。ストッパー１５により規制される位置から吐水ハンドル５を徐々に回動させる際には、定流量弁用連通孔３５と定流量弁用弁口５２とは最大面積で連通して重なったまま、シャワー用連通孔３６ａ，３６ｂとシャワー用弁口５４ａ，５４ｂの重なる面積が徐々に増えていき、前述したように約１２０度右回りに回動させた際にはシャワー用連通孔３６ａ，３６ｂとシャワー用弁口５４ａ，５４ｂの重なる面積も最大となるように構成されている（図５）。したがって、ストッパー１５を解除して止水位置から約６０度の位置からさらに約１２０度の位置まで吐水ハンドル５を操作する際には、定流量弁６０から流れる最大８．５Ｌの流量に加えて、シャワー用連通孔３６ａ，３６ｂとシャワー用弁口５４ａ，５４ｂの重なる面積が徐々に増えていく分だけ流量が上乗せされる。よって、吐水態様の切り換え時に、最適流量から流量が一気に増加するなどの支障はない。そして、吐水ハンドル５を約１２０度まで回動した際には、給水・給湯源の給水圧が所定以上得られていれば、定流量弁６０を通じて得られる流量とシャワー用連通孔３６ａ，３６ｂとシャワー用弁口５４ａ，５４ｂの重なる面積が最大となる際に得られる流量とを合わせた流量を得ることができる。この状態の吐水態様が本発明の「第二の吐水態様」の一例となる。なお、シャワー水栓１の右側面視において、吐水ハンドル５を止水位置から右回りに回転させると、カラン用連通孔３７ａ、３７ｂとカラン用弁口５６ａ，５６ｂとが重なり合って連通し、カラン側流路２２を通じてカラン３から吐水がおこなわれる。
【００３３】
ついで、本発明の別のシャワー水栓１０１について説明する。図８に示されるように、このシャワー水栓１０１では前述のシャワー水栓１とは異なり、吐水切換弁ユニット収容室２１内に定流量弁を設けるのではなく、シャワーエルボ１０２内に定流量弁１６０を設けている。なお、以下において前述したシャワー水栓１と共通する構成については、図面中に同じ符号を付して説明を省略する。シャワー水栓１０１の水栓本体１１０は通常の水栓本体と同様の構成を採用しており、吐水ハンドル１０５を回動操作することにより、シャワーからの吐水をおこなうことができる。吐水ハンドル１０５には前述したようなストッパーは取り付けられておらず、シャワー吐水側（シャワー水栓１０１の右側面視において、吐水ハンドル５を右回り）に最大流量となるまで、解除操作を要することなく回動操作することができる。
【００３４】
図９に示されるように、シャワーエルボ１０２は、「Ｔ字」状に形成されており、水栓側接続部１０４及びホース接続部１０３を備え、ホース側接続部１０３の一端側に螺合された円筒接続部１０６とを備えている。円筒接続部１０６が螺合された奥端にはリング状部材１０８が取り付けられており、このリング状部材１０８の内側に弁口１１１が開口されている。
【００３５】
前述した定流量弁１６０は、シャワーエルボ１０２のホース側接続部１０３内において、スリーブ１８０内を摺動自在に取り付けられており、リング状部材１０８の弁口１１１に対して進退自在に取り付けられている。円筒状の定流量弁１６０の側部１６２には定流量弁１６０の内外を連通する流通部１６４が開口されている。定流量弁１６０の先端には径方向外側に向けて周設された鍔部１６６が形成されており、この鍔部１６６の端面に開口部１６９を備えた弁体１６８が取り付けられている。また、定流量弁１６０の鍔部１６６と反対側には軸部１７０が突設されている。
【００３６】
シャワーエルボ１０２のホース側接続部１０３のうち、円筒部材１０６が螺合された一端側と反対側の他端側には、シャワー水栓１０１の上方に突出して露呈される操作ボタン１７２が取り付けられたハートカム１７４が内蔵されている。定流量弁１６０は、その軸部１７０をハートカム１７４内において摺動自在に保持されながら、コイルばね１７６によって、弁口１１１方向に付勢されている。また、軸部１７０のハートカム１７４に対する抜け止めのために、軸部１７０先端にはＣリング１７１が取り付けられている。また、ハートカム１７４は、ホース側接続部１０３内に取り付けられたスリーブ１８０に対して、コイルばね１７８によって弁口１１１と反対方向に付勢されながら係止されている。なお、操作ボタン１７２は、水栓本体１１０の上部よりもさらに上方に突出されて設けられており、使用者が容易に操作することができ、定流量と通常の流量との切換を簡便・迅速におこなえるように構成されている。
【００３７】
このように構成されたシャワー水栓においてシャワーからの吐水を行うには、前述の通り、シャワー水栓１０１の右側面視において、吐水ハンドル１０５を右回りに回転させる。この際に、図９に示されるように、操作ボタン１７２を押し込んでハートカム１７４を没入させた状態としておくと、定流量弁１６０が弁口１１１方向に移動され、定流量弁１６０の弁体１６８は弁口１１１に圧着される。弁体１６８が弁口１１１に圧着された状態では、水栓側接続部１０４から流れてくる湯水は定流量弁１６０の側部１６２に形成された流通部１６４を通じて、定流量弁１６０だけを通して円筒接続部１０６側、すなわちシャワー側に流れる。したがって、この場合には、定められた定流量（毎分８．５Ｌ）を上限にしてシャワーの吐水が行われる。よって、吐水ハンドル１０５の操作によるシャワーの吐水量は、この定流量を上限にして、吐水ハンドル１０５の操作量によって連続的に増減させることができる。この状態の吐水態様が本発明の「第一の吐水態様」の一例となる。
【００３８】
一方、この定流量吐水の状態から操作ボタン１７２を押し込むと、図１０に示されるようにハートカム１７２が突出した状態となり、これに伴い定流量弁１６０は弁口１１１と反対方向に移動し、弁体１６８は弁口１１１から離間した状態となる。弁体１６８が弁口１１１から離間した状態では、水栓側接続部１０４から流れてくる湯水は、定流量弁１６０の側部１６２に形成された流通部１６４を通じてのみ円筒接続部１０６側に流れるのではなく、弁体１６８と弁口１１１との間の隙間からも流れる。したがって、シャワーの吐水量は、給水・給湯源からの給水圧が所定以上得られていれば、吐水ハンドル１０５の操作量によって連続的に増減させることができる。この状態の吐水態様が本発明の「第二の吐水態様」の一例となる。
【００３９】
このように、操作ボタン１７２の押動操作により、シャワーからの最大吐水量を定流量と通常の吐水量とに簡便・迅速に切り換えることができる。より具体的には、操作ボタン１７２を押し込んで定流量を最大吐水量としておけば、吐水ハンドル１０５の操作を細かく調整することなく、吐水ハンドル１０５を一気に回すだけで、極めて簡便・迅速に「最適流量」を得ることができる。また、定流量弁１６０の最大流量である「最適流量」を超えた通常の流量を得たい場合には、この状態から操作ボタン１７２を押した上で、吐水ハンドル１０５を回動操作するだけで良い。
【００４０】
本発明の実施の形態は前述のように構成されているが、本発明はこの実施の形態に限られるものではなく、本発明の主旨の範囲内で種々の変更が可能である。例えば、前述の例では、サーモスタット式ミキシングバルブを用いたシャワー水栓１，１０１に適用した例を示したが、２ハンドル式の湯水混合水栓に適用することもできる。またさらには、湯水混合水栓のみならず、例えば海水浴場におけるシャワー水栓など、水のみを吐水するシャワー水栓に適用することもできる。また、カランを備えずシャワーのみを備えるシャワー水栓に適用することもできる。
【産業上の利用可能性】
【００４１】
本発明は種々のシャワー水栓に広く利用することができる。
【符号の説明】
【００４２】
１；シャワー水栓、２；シャワーエルボ、３；カラン、４；温度調節ハンドル、５；吐水ハンドル、６；湯側クランク、７；水側クランク、８；止水弁、９；カバー、１０；水栓本体、１１；カラン接続部、１２；湯側接続部、１３；シャワーエルボ接続部、１４；水側接続部、１５；ストッパー、１６；サーモスタット式ミキシングバルブ、１７；スピンドル、１８；湯流入室、１９；水流入室、２０；ミキシングバルブ収容室、２１；吐水切換弁ユニット収容室、２２；カラン側流路、２４；シャワー側流路、２６；水側流路、湯側流路２８、３０；吐水切換弁ユニット、３１；スピンドル、３２；ユニット本体、３４；ケーシング、３５；定流量弁用連通孔、３６ａ，３６ｂ；シャワー用連通孔、３７ａ，３７ｂ；カラン用連通孔、５０；切換弁体ユニット、５２；定流量弁用弁口、５４ａ、５４ｂ；シャワー用弁口、５６ａ，５６ｂ；カラン用弁口、６０；定流量弁、１０１；シャワー水栓、１０２；シャワーエルボ、１０３；ホース接続部、１０４；水栓側接続部、１０５；吐水ハンドル、１０６；円筒接続部、１０８；リング状部材、１１０；水栓本体、１１１；弁口、１６０；定流量弁、１６２；側部、１６４；流通部、１６６；鍔部、１６８；弁体、１６９；開口部、１７０；軸部、１７１；Ｃリング、１７２；操作ボタン、１７４；ハートカム、１７６；コイルばね、１７８；コイルばね、１８０；スリーブ。
【図１】
2014066091.tif 000003
【図２】
2014066091.tif 000004
【図３】
2014066091.tif 000005
【図４】
2014066091.tif 000006
【図５】
2014066091.tif 000007
【図６】
2014066091.tif 000008
【図７】
2014066091.tif 000009
【図８】
2014066091.tif 000010
【図９】
2014066091.tif 000011
【図１０】
2014066091.tif 000012